(57)【要約】【課　　題】少なくとも２枚のパネル体を連結して移動間仕切として移動可能であると共に、蝶番部材を介して連結されているゆえに折畳，展開自在である連結パネルの指詰めを始めとする問題を解決した連結パネルを提供すること。【解決手段】天井レールＣＲに各パネル体１，２が１点吊りで移動可能吊下され、かつ、対向する側端１ｂ，２ｂにおいて蝶番部材５，６を介し少なくとも２枚のパネル体１，２を折畳，展開可能に連結した連結パネルＪＰにおいて、前記各パネル体１，２を蝶番部材５，６において１８０度展開したとき、一方のパネル体１の側端面１ｂと他方のパネル体２の対向側端面２ｂが相対変位可能に連結することにより、前記パネル体１，２の対向した側端面１ｂ，２ｂの間に所定距離の隙間Ｇが形成され、かつ、その隙間を閉じることができるようにしたこと。【選択図】　　図４
2004092064.tif 000002
【特許請求の範囲】
【請求項１】
天井レールに各パネル体が１点吊りで移動可能吊下され、かつ、対向する側端において蝶番部材を介し少なくとも２枚のパネル体を折畳，展開可能に連結した連結パネルにおいて、前記各パネル体を蝶番部材において１８０度展開したとき、一方のパネル体の側端面と他方のパネル体の対向側端面が相対変位可能に連結することにより、前記パネル体の対向した側端面の間に所定距離の隙間が形成され、かつ、その隙間を閉じることができるようにしたことを特徴とする折畳展開自在の移動連結パネル。
【請求項２】
蝶番部材は、各パネル体の対向した側端面の上，下部に少なくとも２個をパネル体の厚み内に隠して設けることにより、前記蝶番部材が各パネル体の表面側に露出しないように形成した請求項１の折畳展開自在の移動連結パネル。
【請求項３】
パネル体の対向した側端面における蝶番部材の少なくとも一方の取付部は、その蝶番部材の取付部がパネル面と平行にスライドしてパネル体の対向側端面の間に隙間を形成し、その隙間を閉じることができるように設けた請求項１又は２の折畳展開自在の移動連結パネル。
【請求項４】
蝶番部材がスライドしてパネル体の対向側端面に隙間を形成する動作を強制するため、ローララッチ等によるスライド作動部材を、対向したパネル体の一方の側端面に設けた請求項１〜３のいずれかの折畳展開自在の移動連結パネル。
【請求項５】
パネル体側端面に取付けられた蝶番部材に、そのパネル体を当該蝶番部材側へ押付ける押しバネを前記蝶番部材に連繋させて設けた請求項１〜４のいずれかの折畳展開自在の移動連結パネル。
【発明の詳細な説明】
【０００１】
【発明の属する技術分野】
本発明は天井レールに吊下されて移動壁や移動間仕切などとして用いられる少なくとも２枚の連結パネルであって、使用時には前記レールに沿って直線状などに展開して並べられて仕切壁や間仕切を形成し、不使用格納時には、一例としてパネル体の面同士を前記レールに直交する向きで重ねた状態に折畳んで格納するようにした折畳み，展開を自在になし得るように形成した連結パネルに関する。
【０００２】
【従来の技術】
従来から広い屋内空間を間仕切るために、天井側に配したレール（以下、天井レールという）に多数のパネル体を移動可能に吊設し、使用時には各パネル体を前記レールに沿って密接直列させて壁や間仕切に形成し、不使用時には格納場所に前記パネルを集合させて格納する形態の移動壁や移動間仕切と称される装置（以下、単に「移動間仕切」という）が知られている。
【０００３】
上記の移動間仕切壁を構成するパネル体は、各パネル体ごとに少なくとも２箇所の吊車（トロリーともいう）で天井レールに吊設する一枚のパネル体ごとに独立したタイプと、少なくとも２枚のパネル体を蝶番部材で連結し、各パネル体は天井レールに対してそれぞれ上辺側中央の１箇所の吊車で吊設する連結タイプとがある。なお、本発明が対象とする連結タイプのパネル体には、天井レールの吊車と同軸上で床に敷設したレール状などのガイド体にパネル体の下辺中央部を支持されたものも含まれるものとする。
【０００４】
上記の連結タイプの移動間仕切用のパネル体は、各パネル体同士が蝶番部材で連結されていることにより、移動展開や折畳格納時に連結パネル体のままの単位で移動させることができるため、展開，収納の操作に要する時間が少なく、また、パネル体中央の一点吊りであるため天井レールも１本で済み、しかも、格納場所に直角分岐レールやＴ字分岐レールが不要であるなど、施工性や吊車の耐久性の面で、少なくとも２点吊りの独立タイプのパネル体に対する優位性が認められている。
【０００５】
しかし、上記連結タイプのパネル体にも問題がある。即ち、パネル体同士を蝶番部材を介して連結する関係で、使用する蝶番部材によってそれが展開時にパネル壁面に露出すること、或は、パネル体展開するとき蝶番部材が設けられている側に指を挟み易い（いわゆる指詰めを起し易い）などの問題があるのである。
【０００６】
上記問題点のうち前者は、蝶番にいわゆる隠し蝶番を使用することにより比較的容易に解決可能であるが、蝶番を使用する限り、隠し蝶番であっても指詰め問題は解決されない。
【０００７】
指詰め問題は、蝶番を用いた扉や折戸においては従来から知られている問題点であるため、その解決を目的とした技術が、例えば特許第２８６９０４４号、特開２００１−１０７６３７などとして提案されているが、これらの提案技術は一定の開口幅の出入口などに設けられる扉や折戸を対象としているので、本発明が対象とする移動可能な折畳，展開自在の連結パネルに適用することはできない。因みに、現状の連結パネル体の指詰め問題の対策としては、指詰めを起すパネル体の部位に「警告！」シールを貼付する等の間接的防護策に止まっている。
【０００８】
【発明が解決しようとする課題】
本発明は、少なくとも２枚のパネル体を連結して移動間仕切として移動可能であると共に、蝶番部材を介して連結されているゆえに折畳，展開自在である連結パネルの指詰めを始めとする問題を解決した連結パネルを提供することを、課題とする。
【０００９】
【課題を解決するための手段】
上記課題を解決することを目的としてなされた連結パネルの構成は、天井レールに各パネル体が１点吊りで移動可能吊下され、かつ、対向する側端において蝶番部材を介し少なくとも２枚のパネル体を折畳，展開可能に連結した連結パネルにおいて、前記各パネル体を蝶番部材において１８０度展開したとき、一方のパネル体の側端面と他方のパネル体の対向側端面が相対変位可能に連結することにより、前記パネル体の対向した側端面の間に所定距離の隙間が形成され、かつ、その隙間を閉じることができるようにしたことを特徴とするものである。
【００１０】
本発明連結パネルの蝶番部材は、各パネル体の対向した側端面の上，下部に少なくとも２個をパネル体の厚み内に隠して設けることにより、前記蝶番部材が各パネル体の表面側に露出しないように形成した。
【００１１】
また、パネル体の対向側端面における前記蝶番部材の取付部は、その蝶番部材の少なくとも一方の取付部が前記のパネル面と平行にスライドしてパネル体の対向側端面の間に隙間を形成し、その隙間を閉じることができるように設ける。このスライド動作により、連結された２枚のパネル体をその蝶番部材において展開したとき、当該パネル体の対向した側端面の間に指などの異物があると、パネル体がスライドして側端面の間にある前記異物を挟圧することなく逃げるので指詰め問題は生じない。なお、蝶番部材取付部のスライド機能は、対向した両側端面の取付部に付与してもよい。また、前記スライドした位置を元に戻すため、前記取付部とパネル体の間に戻し用の押しバネを介在させることがある。
【００１２】
本発明連結パネルでは、前記蝶番部材のスライド動作を、指などの異物の有無に拘らず強制するため、ローララッチ等によるスライド作動部材を、対向したパネル体の側端面の間に設けることがある。このスライド動作部材は、蝶番部材がスライドして開いた両パネル体の側端面間の距離を詰める（元に戻す）ための押し動作のガイドとして機能させることができる。
【００１３】
【発明の実施の形態】
次に本発明連結パネルの実施の形態例について、図を参照しつつ説明する。図１は本発明連結パネル一例の概要を示す一部切截正面図、図２は図１の連結パネルを展開した状態における蝶番部材を設けた部位の拡大平面図、図３は図１の連結パネルを折畳んだ状態における蝶番部位の拡大平面図、図４は図３の正面図、図５は図４の蝶番部材の一方側の側断面図、図６は図４の蝶番部材の他方側がスライドしてパネル体の側端面から突出した状態の側断面図、図７は本発明パネルを折畳み状態から展開完了までを模式的に示した平面図であって、（ａ）は展開中、（ｂ）は１８０度展開した状態、（ｃ）は展開完了時を示す平面図、図８は、図７の本発明連結パネルに対応する従来の連結パネルを折畳み状態から展開完了までを模式的に示した平面図であって、（ａ）は展開中、（ｂ）は１８０度展開する場合の指の位置を示す状態、（ｃ）は展開完了時を示す平面図、図９は図７（ｂ）の本発明連結パネルの正面図、図１０は図８（ｃ）の従来連結パネルの正面図、図１１は本発明連結パネルの別例を説明するための模式的平面図であって、（ａ）は展開途中、（ｂ）は１８０度展開時、（ｃ）は１８０度展開完了時の平面図、図１２は本発明連結パネルの他の例を説明するための模式的平面図である。
【００１４】
図１において、１，２は本発明連結パネルを形成する２枚のパネル体で、各パネル体１，２はその上部辺１ａ，２ａの略中央に、具体的には図示しない吊車３，４を具備し、この吊車３，４により天井レールＣＲにいわゆる一点吊りで吊下支持され、両パネル体１，２は前記レールＣＲに支持案内されて移動自在である。なお、前記パネル体１，２には、前記吊車３，４と同軸上においてパネル体１，２の下辺略中央部を、床Ｆに敷設したレールなどに支持されるタイプもあり、本発明はこのタイプの連結パネルにも適用できる。
【００１５】
前記２枚のパネル体１，２は、図示した例では互に対向した左右の側端辺１ｂ，２ｂ（以下、説明の便宜上、側端面１ｂ，２ｂともいう）における上，下半の夫々の中間部において蝶番部材５，６（以下、ヒンジ５，６という）により連結されていることと、上記吊車３，４による一点吊り構造により、一例として、天井レールＣＲに直交した向きでの重複折畳（０度）状態から天井レールＣＲと同一軌跡となる直線状展開（１８０度）まで、天井レールＣＲに吊下された状態で折畳，展開自在である。
【００１６】
上記２枚のパネル体１，２を各パネル体ごと吊車３，４により一点吊りで天井レールＣＲに支持させ、ヒンジ５，６により対向した側端辺１ｂ，２ｂが枢着連結されることにより、本発明を適用する連結パネルＪＰの一例を形成する。本発明が適用できるパネル体の連結枚数は、少なくとも２枚であれば足り、従って３枚以上のパネル体の連結パネルについても本発明が適用できることは勿論である。
【００１７】
図１の連結パネルＪＰでは、エンド側（図１の右側）のパネル体１の右側辺には、リンク機構Ｌｍ１を介して出没し、側壁Ｗなどに当接する調整用の側翼片１ｃ′が設けられていると共に、下辺１ｄには床Ｆ面にこのパネル体１を固定するために出没するアジャスタ部材Ａｊが設けられている。一方、他方のパネル体２の下辺２ｄの近傍内部には、このパネル体２の下辺２ｄと床Ｆの隙間を埋めてパネル体２の揺動を防ぐなどのため、リンク機構Ｌｍ２を介して押えパッド部材Ｐｄが設けられている。なお、上記の各付属機構１ｃ′，Ａｊ，Ｐｄ，Ｌｍ１，Ｌｍ２を各パネル体１，２に設けるか否か、及び、設ける場合の具体的構造は、上記例に限られるものではない。
【００１８】
図２〜図６において、２枚のパネル体１，２をそれらの対向側端辺１ｂ，２ｂの上，下２箇所において枢着連結するヒンジ５，６は、市販タイプのいわゆる隠しヒンジで、図２の１８０度展開時にはパネル体１，２の厚み内に完全に隠れてしまい、外部からは見えないが、１８０度展開以外の折畳み角では外部から見える（図２，図３参照）。この実施例で使用しているヒンジ５，６は、同一物であるから、以下、ヒンジ５について説明する。
【００１９】
ヒンジ５は、２枚のパネル体１，２の側端面１ｂ，２ｂに取付けられる２枚のベースプレート５ａ，５ｂと、両プレート５ａ，５ｂの背後に設けられ、積層タイプのここでは二重ヒンジアーム５ｃ，５ｄを進退自在に保持するアームハウジング５ｅ，５ｆと、両ハウジング５ｅ，５ｆに保持された前記アーム５ｃ，５ｄを両アーム５ｃ，５ｄの先端部で連結した垂直なヒンジ軸５ｇにより形成されている。なお、５ｈはベースプレート５ａ，５ｂをパネル体１，２の側端面１ａ，２ｂに取付けるためのビスである。また、ヒンジ６を形成する部材は、ヒンジ５のベースプレート５ａからヒンジ軸５ｇまでの各部材に対応しているので、詳細は略す。
【００２０】
上記ヒンジ５のうち、図示した例では、ベースプレート５ａの側は通常の取付態様で、パネル体２の側端面２ｂに取付台座５１を介して取付けられている（図５参照）。図５において、５２は取付台座５１の固定ビスである。また、上記ヒンジ５において、図２，図３ではベースプレート５ｂとアームハウジング５ｆは、他方のプレート５ａ，ハウジング５ｅと同じく、固定タイプでパネル体１に取付けた状態の図である。ベースプレート５ｂとハウジング５ｆなどの構成部材をスライド可能に取付けた構成例は、図４，図６を参照して以下に説明する。
【００２１】
一方、ヒンジ５においてベースプレート５ｂの側は、図４，図６に例示するように、該プレート５ｂの上，下でハウジング５ｆを挟む位置に舌片状のスライドガイド５３，５４を設け、該ガイド５３，５４が、ガイド台座５５の上，下の保持片５５ａ，５５ｂに挟持される形で進退可能に取付けられている（図６参照）。また、図６のアームハウジング５ｆには、その側面に位置決め用の凹部５ｉを設け、この凹部５ｉに、後退位置（通常位置）においてボールプランジャ７の内装バネ（図示せず）に後から押された小ボール７ａが落込んで、その後退位置の位置決めをするように形成されているが、ベースプレート５ｂにそれを側端面１ｂから引出す小さな力が作用すると、前記ボール７ａが凹部５ｉから離脱し、ベースプレート５ｂに取付けられたハウジング５ｆなどを含む構成部材全体が、ガイド台座５５の保持片５５ａ，５５ｂに案内されたスライドガイド５３，５４によってスライドし、側端面１ｂから進出するようになっている。進出量は適宜でよいが、ここでは指詰め防止に鑑み約２５〜３５ｍｍ程度としている。上記の点の構成は、ヒンジ６についても全く同様であるので、説明は省略する。
【００２２】
上記のように、本発明連結パネルでは２枚のパネル１，２の対向した側端面１ｂ，２ｂに取付けられるヒンジ５，６のうち、この例ではパネル１の側端面１ｂに取付けられるベースプレート５ｂの側のヒンジ構成部材が、スライドガイド５３，５４と、ガイド取付台５５によって形成されるスライド機構ＳＭにより、側端面１ｂから進出可能に設けられているから、天井レールＣＲに対して２枚のパネル体１，２が重複して折畳まれた状態にあるとき、その２枚のパネル体を１８０度に展開するように開き乍ら移動させても、前記スライド機構ＳＭの作用で、指詰め事故を未然に防止できる。この点について、本発明連結パネルを模式的に示した図７（ａ）〜（ｃ）と従来パネルを模式的に示した図８（ａ）〜（ｃ）を対比させつつ説明する。なお、図８において、１′，２′はパネル体、１ｂ′，２ｂ′は対向側端面、５′，６′はヒンジである。
【００２３】
図７（ａ）〜（ｃ）、及び、図８（ａ）〜（ｃ）において、重複して折畳まれていた２枚のパネル体１，２（１′，２′）のうち、パネル体１の左右側辺１ｂ，１ｃ（１ｂ′，１ｃ′）を両手で支えて開くとき（図７（ａ）、図８（ａ）参照）、前記パネル体１（１′）の両側１ｂ，１ｃ（１ｂ′，１ｃ′）を両手で支えたまま両パネル体１，２（１′，２′）が１８０度開いてしまうと（図７（ｂ）、図８（ｂ）参照）、操作者Ｍの左手の指Ｌｆは、図８の従来の連結パネル１′，２′では、ヒンジ５′がパネル体１′，２′の対向側端面１ｂ′，２ｂ′の間に固定的に設けられているため、密着する両側端面１ｂ′，２ｂ′に挟まれてしまうという、典型的指詰め事故を惹起する（図８（ｃ）参照）。
【００２４】
しかし乍ら、本発明連結パネルＪＰでは、パネル体１の左右側を両手で支えたまま両パネル体１，２を１８０度展開すると、パネル体１，２の対向側端面１ｂ，２ｂの間に、外見上、左手の指Ｌｆが挟まるが、このような異物の存在があると、ボールプランジャ７のボールが凹部５ｉから外れてスライド機構ＳＭが直ちに作動し、ヒンジ５，６のパネル体１の側端面１ｂに取付けられたヒンジ部材を当該端面１ｂから突出させるので、左手の指Ｌｆが側端面１ｂ，２ｂの間に挟圧されてしまうのを未然に防ぐのである（図７（ｂ）参照）。
【００２５】
上記のように本発明連結パネルＪＰでは、１８０度に展開したとき連結パネル体１，２の対向する連結部分に、指やその他の異物があると、ヒンジ５，６のスライド機構ＳＭが作動して両パネル体１，２の間に隙間Ｇを作るので、およそ指詰め等の問題が生じることはない。また、スライド機構ＳＭが上記原因で作動すると、両パネル１，２の連結対向面１ｂ，２ｂの間に生じる隙間Ｇは、パネル体１又は２を、両パネル体１，２が互に接近する側に押せば、その隙間Ｇは上記スライド機構ＳＭの戻り動作（原点復帰）により、図７（ｃ）の状態で両パネル体１，２を密着状態で１８０度展開することができる。
【００２６】
本発明連結パネルＪＰでは、パネル体１，２を連結したヒンジ５，６にスライド機能をもたせたことにより、副次的効果として、図９に矢印で示すように、パネル体１，２のヒンジ５，６を介した連結に、自由度が生じるので、図１０に示す従来の固定ヒンジ５′，６′を用いたパネル体１′，２′のように固定ヒンジによる連結時にパネル体１′，２′同士の高さを厳密に合せたり、両パネル体１′，２′の面を同面に合せた上でヒンジ５′，６′を取付けるといった必要がなく、組立作業面での優位性を得ることができる。
【００２７】
本発明連結パネルＪＰにおいて、折畳まれたパネル体１，２を１８０度展開する際、ヒンジ５，６のスライド機構ＳＭを強制作動させて、指等の異物の有無に拘らず、パネル体１，２の対向側端面１ｂ，２ｂの間に隙間Ｇを形成する方法の一例を、図１１（ａ）〜（ｃ）により説明する。
【００２８】
図１１（ａ）〜（ｃ）に示した本発明連結パネルＪＰ′では、パネル２の側端面２ｂに、その面２ｂから突出したピン８にローラ８ａを設けたローララッチＲＬを設け、折畳まれていたパネル１，２を１８０度展開しようとすると、その中間の角度で前記ラッチのローラ８ａが他方のパネル１の側端面１ｂに当接することにより、ヒンジ５，６のスライド機構ＳＭが進出側に作動するように構成した。この結果、パネル体１，２が１８０度展開すると、必らず図１１（ｂ）に示すように、側端面１ｂ，２ｂの間に隙間Ｇが形成されるので、指詰め現象は全く起きない。また、このローララッチＲＬは、対向するパネル１の端面１ｂに形成したガイド溝９が隙間Ｇを詰めるためにパネル体１，２を寄せ合う際のガイド機構として作用する。
【００２９】
また、本発明連結パネルＪＰ，ＪＰ′では、ヒンジ５，６のスライド機構ＳＭの進出動作によってパネル体１，２の間に形成される隙間Ｇを詰めるため、上記例では人手によって両パネル体１，２の対向面を当接させていたが、本発明では、図１２に例示するように、この両パネル体１，２の引寄せを自動的に行う乃至補完するため、パネル体１，２の対向面１ｂ，２ｂに、それらを引寄せる側に作用するスプリング１０を設けることがある。
【００３０】
【発明の効果】
本発明連結パネルは以上の通りであって、折畳，展開自在である連結パネルの指詰めを始めとする問題を解決した連結パネルを提供するため、当該連結パネルを、各パネル体を蝶番部材において１８０度展開したとき、一方のパネル体の側端面と他方のパネル体の対向側端面が相対変位可能に連結することにより、前記パネル体の対向した側端面の間に所定距離の隙間が形成され、かつ、その隙間を閉じることができるようにしたから、およそ指詰め問題は生じる余地がなく、また、パネル体を連結する蝶番部材に、スライド機能を持たせたことにより、固定ヒンジによるパネル体の連結に比べ、連結組立時の自由度が高まるため、組立て作業が容易になる利点がある。
【図面の簡単な説明】
【図１】本発明連結パネル一例の概要を示す一部切截正面図
【図２】図１の連結パネルを展開した状態における蝶番部材を設けた部位の拡大平面図
【図３】図１の連結パネルを折畳んだ状態における蝶番部位の拡大平面図
【図４】図３の正面図
【図５】図４の蝶番部材の一方側の側断面図
【図６】図４の蝶番部材の他方側がスライドしてパネル体の側端面から突出した状態の側断面図
【図７】本発明パネルを折畳み状態から展開完了までを模式的に示した平面図であって、（ａ）は展開中の平面図、（ｂ）は１８０度展開した状態の平面図、（ｃ）は展開完了時を示す平面図
【図８】図７の本発明連結パネルに対応する従来の連結パネルを折畳み状態から展開完了までを模式的に示した平面図であって、（ａ）は展開中の平面図、（ｂ）は１８０度展開する場合の指の位置を示す状態の平面図、（ｃ）は展開完了時を示す平面図
【図９】図７（ｂ）の本発明連結パネルの正面図
【図１０】図８（ｃ）の従来連結パネルの正面図
【図１１】本発明連結パネルの別例を説明するための模式的平面図であって、（ａ）は展開途中の平面図、（ｂ）は１８０度展開時の平面図、（ｃ）は１８０度展開完了時の平面図
【図１２】本発明連結パネルの他の例を説明するための模式的平面図
【符号の説明】
１，２　　パネル体
１ｂ，２ｂ　　対向側端辺（側端面）
３，４　　吊車
５，６　　蝶番部材（ヒンジ）
５ａ，５ｂ　　ベースプレート
５ｃ，５ｄ　　二重ヒンジアーム
５ｅ，５ｆ　　アームハウジング
５ｇ　　　　ヒンジ軸
５１　　　　取付台座
５２　　　　ビス
５３，５４　　スライドガイド
５５　　　　ガイド台座
５５ａ，５５ｂ　保持片
７　　　　ボールプランジャ
８　　　　ピン
９　　　　ガイド溝
１０　　　　スプリング
ＣＲ　　　　天井レール
ＳＭ　　　　スライド機構
ＪＰ，ＪＰ′　連結パネル
【図１】
2004092064.tif 000003
【図２】
2004092064.tif 000004
【図３】
2004092064.tif 000005
【図４】
2004092064.tif 000006
【図５】
2004092064.tif 000007
【図６】
2004092064.tif 000008
【図７】
2004092064.tif 000009
【図８】
2004092064.tif 000010
【図９】
2004092064.tif 000011
【図１０】
2004092064.tif 000012
【図１１】
2004092064.tif 000013
【図１２】
2004092064.tif 000014